(57)【要約】【課題】低輝度環境において表示フレームレートを高速化するとともに、消費電力の増加を抑制することができる技術を提供することである。【解決手段】撮影前にライブビュー表示する撮像装置であって、被写体の明るさ、撮影用シャッタスピード、撮像装置の動き情報、または被写体情報に応じて、撮像素子の中の複数の画素のうちの一部の第１の画素群が光電変換に基づく画像データを出力するように撮像素子を制御し、または、撮像素子の中の複数の画素のうちの第１の画素群と第１の画素群とは異なる第２の画素群とが異なるタイミングの光電変換に基づく画像データを出力するように撮像素子を制御する制御手段を有する撮像装置が提供される。【選択図】図３
2020120219.tif 000002
【特許請求の範囲】
【請求項１】
撮影前にライブビュー表示する撮像装置であって、
被写体の明るさ、撮影用シャッタスピード、前記撮像装置の動き情報、または被写体情報に応じて、撮像素子の中の複数の画素のうちの一部の第１の画素群が光電変換に基づく画像データを出力するように前記撮像素子を制御し、または、前記撮像素子の中の複数の画素のうちの前記第１の画素群と前記第１の画素群とは異なる第２の画素群とが異なるタイミングの光電変換に基づく画像データを出力するように前記撮像素子を制御する制御手段を有することを特徴とする撮像装置。
【請求項２】
前記制御手段は、
被写体の明るさが閾値以上である場合には、前記第１の画素群が光電変換に基づく画像データを出力するように前記撮像素子を制御し、
前記被写体の明るさが前記閾値以上でない場合には、前記第１の画素群と前記第２の画素群とが異なるタイミングの光電変換に基づく画像データを出力するように前記撮像素子を制御することを特徴とする請求項１に記載の撮像装置。
【請求項３】
前記制御手段は、
前記被写体の明るさが前記閾値以上でなく、かつ、撮影用シャッタスピードが現在の表示フレーム周期より速い場合には、前記第１の画素群と前記第２の画素群とが異なるタイミングの光電変換に基づく画像データを出力するように前記撮像素子を制御し、
前記被写体の明るさが前記閾値以上でなく、かつ、前記撮影用シャッタスピードが現在の表示フレーム周期より速くない場合には、前記第１の画素群が光電変換に基づく画像データを出力するように前記撮像素子を制御することを特徴とする請求項２に記載の撮像装置。
【請求項４】
前記制御手段は、
前記被写体の明るさが前記閾値以上である場合には、前記第１の画素群が第１の期間の光電変換に基づく画像データを出力するように前記撮像素子を制御し、
前記被写体の明るさが前記閾値以上でなく、かつ、前記撮影用シャッタスピードが現在の表示フレーム周期より速くない場合には、前記第１の画素群が前記第１の期間より長い期間の光電変換に基づく画像データを出力するように前記撮像素子を制御し、
前記被写体の明るさが前記閾値以上でなく、かつ、前記撮影用シャッタスピードが現在の表示フレーム周期より速い場合には、前記第１の画素群と前記第２の画素群とが異なるタイミングの前記第１の期間より長い期間の光電変換に基づく画像データを出力するように前記撮像素子を制御することを特徴とする請求項３に記載の撮像装置。
【請求項５】
前記制御手段は、
前記被写体の明るさが前記閾値以上でなく、かつ、前記撮像装置が所定量以上動いている場合には、前記第１の画素群と前記第２の画素群とが異なるタイミングの光電変換に基づく画像データを出力するように前記撮像素子を制御し、
前記被写体の明るさが前記閾値以上でなく、かつ、前記撮像装置が前記所定量以上動いていない場合には、前記第１の画素群が光電変換に基づく画像データを出力するように前記撮像素子を制御することを特徴とする請求項２に記載の撮像装置。
【請求項６】
前記制御手段は、
前記被写体の明るさが前記閾値以上でなく、かつ、前記撮像装置が特定の方向へ所定量以上動いている場合には、前記第１の画素群と前記第２の画素群とが異なるタイミングの光電変換に基づく画像データを出力するように前記撮像素子を制御し、
前記被写体の明るさが前記閾値以上でなく、かつ、前記撮像装置が特定の方向へ前記所定量以上動いていない場合には、前記第１の画素群が光電変換に基づく画像データを出力するように前記撮像素子を制御することを特徴とする請求項２または５に記載の撮像装置。
【請求項７】
前記制御手段は、
前記被写体の明るさが前記閾値以上である場合には、前記第１の画素群が第１の期間の光電変換に基づく画像データを出力するように前記撮像素子を制御し、
前記被写体の明るさが前記閾値以上でなく、かつ、前記撮像装置が所定量以上動いていない場合には、前記第１の画素群が前記第１の期間より長い期間の光電変換に基づく画像データを出力するように前記撮像素子を制御し、
前記被写体の明るさが前記閾値以上でなく、かつ、前記撮像装置が前記所定量以上動いている場合には、前記第１の画素群と前記第２の画素群とが異なるタイミングの前記第１の期間より長い期間の光電変換に基づく画像データを出力するように前記撮像素子を制御することを特徴とする請求項５または６に記載の撮像装置。
【請求項８】
前記制御手段は、
前記被写体の明るさが前記閾値以上でなく、かつ、被写体の輝度の変化量が所定量以上である場合には、前記第１の画素群と前記第２の画素群とが異なるタイミングの光電変換に基づく画像データを出力するように前記撮像素子を制御し、
前記被写体の明るさが前記閾値以上でなく、かつ、前記被写体の輝度の変化量が前記所定量以上でない場合には、前記第１の画素群が光電変換に基づく画像データを出力するように前記撮像素子を制御することを特徴とする請求項２に記載の撮像装置。
【請求項９】
前記制御手段は、
前記被写体の明るさが前記閾値以上である場合には、前記第１の画素群が第１の期間の光電変換に基づく画像データを出力するように前記撮像素子を制御し、
前記被写体の明るさが前記閾値以上でなく、かつ、前記被写体の輝度の変化量が前記所定量以上でない場合には、前記第１の画素群が前記第１の期間より長い期間の光電変換に基づく画像データを出力するように前記撮像素子を制御し、
前記被写体の明るさが前記閾値以上でなく、かつ、前記被写体の輝度の変化量が前記所定量以上である場合には、前記第１の画素群と前記第２の画素群とが異なるタイミングの前記第１の期間より長い期間の光電変換に基づく画像データを出力するように前記撮像素子を制御することを特徴とする請求項８に記載の撮像装置。
【請求項１０】
前記制御手段は、
前記被写体の明るさが前記閾値以上でなく、かつ、被写体の移動量が所定量以上である場合には、前記第１の画素群と前記第２の画素群とが異なるタイミングの光電変換に基づく画像データを出力するように前記撮像素子を制御し、
前記被写体の明るさが前記閾値以上でなく、かつ、前記被写体の移動量が前記所定量以上でない場合には、前記第１の画素群が光電変換に基づく画像データを出力するように前記撮像素子を制御することを特徴とする請求項２に記載の撮像装置。
【請求項１１】
前記制御手段は、
前記被写体の明るさが前記閾値以上である場合には、前記第１の画素群が第１の期間の光電変換に基づく画像データを出力するように前記撮像素子を制御し、
前記被写体の明るさが前記閾値以上でなく、かつ、前記被写体の移動量が前記所定量以上でない場合には、前記第１の画素群が前記第１の期間より長い期間の光電変換に基づく画像データを出力するように前記撮像素子を制御し、
前記被写体の明るさが前記閾値以上でなく、かつ、前記被写体の移動量が前記所定量以上である場合には、前記第１の画素群と前記第２の画素群とが異なるタイミングの前記第１の期間より長い期間の光電変換に基づく画像データを出力するように前記撮像素子を制御することを特徴とする請求項１０に記載の撮像装置。
【請求項１２】
前記制御手段は、
前記被写体の明るさが前記閾値以上でなく、かつ、撮影用シャッタスピードが現在の表示フレーム周期より速く、かつ、前記撮像装置が所定量以上動いている場合には、前記第１の画素群と前記第２の画素群とが異なるタイミングの光電変換に基づく画像データを出力するように前記撮像素子を制御し、
前記被写体の明るさが前記閾値以上でない場合であって、前記撮影用シャッタスピードが現在の表示フレーム周期より速くない場合、または、前記撮像装置が前記所定量以上動いていない場合には、前記第１の画素群が光電変換に基づく画像データを出力するように前記撮像素子を制御することを特徴とする請求項２に記載の撮像装置。
【請求項１３】
前記制御手段は、
前記被写体の明るさが前記閾値以上である場合には、前記第１の画素群が第１の期間の光電変換に基づく画像データを出力するように前記撮像素子を制御し、
前記被写体の明るさが前記閾値以上でない場合であって、前記撮影用シャッタスピードが現在の表示フレーム周期より速くない場合、または、前記撮像装置が前記所定量以上動いていない場合には、前記第１の画素群が前記第１の期間より長い期間の光電変換に基づく画像データを出力するように前記撮像素子を制御し、
前記被写体の明るさが前記閾値以上でなく、かつ、前記撮影用シャッタスピードが現在の表示フレーム周期より速く、かつ、前記撮像装置が所定量以上動いている場合には、前記第１の画素群と前記第２の画素群とが異なるタイミングの前記第１の期間より長い期間の光電変換に基づく画像データを出力するように前記撮像素子を制御することを特徴とする請求項１２に記載の撮像装置。
【請求項１４】
前記制御手段は、
前記被写体の明るさが前記閾値以上でなく、かつ、撮影用シャッタスピードが現在の表示フレーム周期より速く、かつ、被写体の輝度の変化量が所定量以上である場合には、前記第１の画素群と前記第２の画素群とが異なるタイミングの光電変換に基づく画像データを出力するように前記撮像素子を制御し、
前記被写体の明るさが前記閾値以上でない場合であって、前記撮影用シャッタスピードが現在の表示フレーム周期より速くない場合、または、前記被写体の輝度の変化量が前記所定量以上でない場合には、前記第１の画素群が光電変換に基づく画像データを出力するように前記撮像素子を制御することを特徴とする請求項２に記載の撮像装置。
【請求項１５】
前記制御手段は、
前記被写体の明るさが前記閾値以上である場合には、前記第１の画素群が第１の期間の光電変換に基づく画像データを出力するように前記撮像素子を制御し、
前記被写体の明るさが前記閾値以上でない場合であって、前記撮影用シャッタスピードが現在の表示フレーム周期より速くない場合、または、前記被写体の輝度の変化量が前記所定量以上でない場合には、前記第１の画素群が前記第１の期間より長い期間の光電変換に基づく画像データを出力するように前記撮像素子を制御し、
前記被写体の明るさが前記閾値以上でなく、かつ、前記撮影用シャッタスピードが現在の表示フレーム周期より速く、かつ、被写体の輝度の変化量が所定量以上である場合には、前記第１の画素群と前記第２の画素群とが異なるタイミングの前記第１の期間より長い期間の光電変換に基づく画像データを出力するように前記撮像素子を制御することを特徴とする請求項１４に記載の撮像装置。
【請求項１６】
前記制御手段は、
前記被写体の明るさが前記閾値以上でなく、かつ、撮影用シャッタスピードが現在の表示フレーム周期より速く、かつ、被写体の移動量が所定量以上である場合には、前記第１の画素群と前記第２の画素群とが異なるタイミングの光電変換に基づく画像データを出力するように前記撮像素子を制御し、
前記被写体の明るさが前記閾値以上でない場合であって、前記撮影用シャッタスピードが現在の表示フレーム周期より速くない場合、または、前記被写体の移動量が前記所定量以上でない場合には、前記第１の画素群が光電変換に基づく画像データを出力するように前記撮像素子を制御することを特徴とする請求項２に記載の撮像装置。
【請求項１７】
前記制御手段は、
前記被写体の明るさが前記閾値以上である場合には、前記第１の画素群が第１の期間の光電変換に基づく画像データを出力するように前記撮像素子を制御し、
前記被写体の明るさが前記閾値以上でない場合であって、前記撮影用シャッタスピードが現在の表示フレーム周期より速くない場合、または、前記被写体の移動量が前記所定量以上でない場合には、前記第１の画素群が前記第１の期間より長い期間の光電変換に基づく画像データを出力するように前記撮像素子を制御し、
前記被写体の明るさが前記閾値以上でなく、かつ、前記撮影用シャッタスピードが現在の表示フレーム周期より速く、かつ、被写体の移動量が所定量以上である場合には、前記第１の画素群と前記第２の画素群とが異なるタイミングの前記第１の期間より長い期間の光電変換に基づく画像データを出力するように前記撮像素子を制御することを特徴とする請求項１６に記載の撮像装置。
【請求項１８】
撮影前にライブビュー表示する撮像装置の制御方法であって、
被写体の明るさ、撮影用シャッタスピード、前記撮像装置の動き情報、または被写体情報に応じて、撮像素子の中の複数の画素のうちの一部の第１の画素群が光電変換に基づく画像データを出力するように前記撮像素子を制御し、または、前記撮像素子の中の複数の画素のうちの前記第１の画素群と前記第１の画素群とは異なる第２の画素群とが異なるタイミングの光電変換に基づく画像データを出力するように前記撮像素子を制御するステップを有することを特徴とする撮像装置の制御方法。
【請求項１９】
コンピュータを、請求項１〜１７のいずれか１項に記載された撮像装置の各手段として機能させるためのプログラム。
【発明の詳細な説明】
【技術分野】
【０００１】
本発明は、撮像装置、撮像装置の制御方法およびプログラムに関する。
【背景技術】
【０００２】
撮像装置は、静止画撮影前に、所定のフレームレートで、ライブビュー画像を生成し、ライブビュー画像を表示させることができる。しかしながら、撮像装置は、低輝度環境においては、被写体を視認しやすくするために、露光時間を長くする必要があり、その結果、ライブビューの表示フレームレートが遅くなってしまう。撮像装置は、表示フレームレートが遅いと、被写体の追従性を損なってしまう。そのため、低輝度環境においても、被写体の追従性を向上する新たな技術が求められている。
【０００３】
特許文献１の撮像装置は、重複しない行の画素の信号を異なるフレームレートで読み出し、それぞれの読み出した信号をライブビュー表示や被写体検出など異なる目的に使用する。
【先行技術文献】
【特許文献】
【０００４】
【特許文献１】特開２０１５−１１９２０５号公報
【発明の概要】
【発明が解決しようとする課題】
【０００５】
しかしながら、撮像装置は、ライブビュー表示中に常に上述のような読み出しを行うと、読み出し量が増大するため、消費電力が増加してしまう。
【０００６】
本発明の目的は、低輝度環境において表示フレームレートを高速化するとともに、消費電力の増加を抑制することができる技術を提供することである。
【課題を解決するための手段】
【０００７】
本発明の一観点によれば、撮影前にライブビュー表示する撮像装置であって、被写体の明るさ、撮影用シャッタスピード、前記撮像装置の動き情報、または被写体情報に応じて、撮像素子の中の複数の画素のうちの一部の第１の画素群が光電変換に基づく画像データを出力するように前記撮像素子を制御し、または、前記撮像素子の中の複数の画素のうちの前記第１の画素群と前記第１の画素群とは異なる第２の画素群とが異なるタイミングの光電変換に基づく画像データを出力するように前記撮像素子を制御する制御手段を有する撮像装置が提供される。
【発明の効果】
【０００８】
本発明によれば、低輝度環境において表示フレームレートを高速化するとともに、消費電力の増加を抑制することができる。
【図面の簡単な説明】
【０００９】
【図１】撮像素子の構成例を示す図である。
【図２】撮像装置の構成例を示す図である。
【図３】撮像装置の制御方法を示すフローチャートである。
【図４】撮像素子の制御方法を示すタイミングチャートである。
【図５】撮像素子の制御方法を示すタイミングチャートである。
【図６】撮像素子の制御方法を示すタイミングチャートである。
【図７】撮像装置の制御方法を示すフローチャートである。
【発明を実施するための形態】
【００１０】
（第１の実施形態）
図１は、本発明の第１の実施形態による撮像素子２０６の構成例を示すブロック図である。撮像素子２０６は、撮像制御部２０７と画像処理部２０８に接続され、撮像層２１３と回路層２１４を有する。撮像層２１３は第１のチップであり、回路層２１４は第２のチップである。撮像層２１３は、回路層２１４上に積層されている。撮像層２１３は、行列状に配列された複数の画素１０１を有し、光入射側（光学像の受光側）に配置されている。
【００１１】
回路層２１４は、アナログデジタル変換部（ＡＤＣ）１１１ａ，１１１ｂと、行走査回路１１２、列走査回路１１３ａ，１１３ｂ、タイミング制御回路１１４と、切り替えスイッチ１１６と、フレームメモリ１１７とを有する。さらに、回路層２１４は、リサイズ変換部１１８と、素子内演算部１１９と、パラレルシリアル変換部（Ｐ／Ｓ変換部）１２０とを有する。行走査回路１１２は、行単位で、転送信号線１０３と、リセット信号線１０４と、行選択信号線１０５を介して、各行の画素１０１に接続される。各列のＡＤＣ１１１ａは、信号線１１５ａを介して、切り替えスイッチ１１６に接続される。各列のＡＤＣ１１１ｂは、信号線１１５ｂを介して、切り替えスイッチ１１６に接続される。
【００１２】
偶数行の各列の画素１０１は、それぞれ、各列の出力線１０２ａを介して、各列のＡＤＣ１１１ａに接続される。奇数行の各列の画素１０１は、それぞれ、各列の出力線１０２ｂを介して、各列のＡＤＣ１１１ｂに接続される。
【００１３】
このように、撮像素子２０６は、撮像層２１３と回路層２１４に分けることより、撮像層２１３と回路層１２４とで製造プロセスを分けることができる。その結果、回路層２１４における配線の細線化と高密度化による高速化、小型化、および高機能化を図ることができる。
【００１４】
複数の画素１０１の各々は、光を電荷に変換（光電変換）する光電変換素子を有し、光電変換素子により変換された電荷量に基づく画素信号を出力線１０２ａまたは１０２ｂに出力することができる。画素１０１は、リセット信号線１０４がハイレベルになると、電荷をリセットし、リセット信号線１０４がローレベルになると、電荷のリセットを解除する。リセット解除後、画素１０１は、光電変換素子により、光を電荷に変換し、電荷を蓄積する。次に、画素１０１は、転送信号線１０３がハイレベルになると、光電変換素子に蓄積されている電荷を電荷蓄積部に転送する。行選択信号線１０５がハイレベルである期間では、画素１０１は、電荷蓄積部に蓄積されている電荷量に基づく画素信号を出力線１０２ａまたは１０２ｂに出力する。偶数行の各列の画素１０１は、行単位で、それぞれ、各列の出力線１０２ａを介して、各列のＡＤＣ１１１ａに画素信号を出力する。奇数行の各列の画素１０１は、行単位で、それぞれ、各列の出力線１０２ｂを介して、各列のＡＤＣ１１１ｂに画素信号を出力する。
【００１５】
各列のＡＤＣ１１１ａは、行単位で、偶数行の画素１０１の画素信号をアナログからデジタルに変換する。各列のＡＤＣ１１１ｂは、行単位で、奇数行の画素１０１の画素信号をアナログからデジタルに変換する。
【００１６】
列走査回路１１３ａは、各列のＡＤＣ１１１ａにより変換された偶数行のデジタル画素信号を、信号線１１５ａを介して、切り替えスイッチ１１６に転送する。列走査回路１１３ｂは、各列のＡＤＣ１１１ｂにより変換された奇数行のデジタル画素信号を、信号線１１５ａを介して、切り替えスイッチ１１６に転送する。
【００１７】
切り替えスイッチ１１６は、信号線１１５ａと信号線１１５ｂの画素信号をフレームメモリ１１７に選択的に出力する。フレームメモリ１１７は、複数の画像信号を画像データとして一時的に記憶する。素子内演算部１１９は、駆動モードに応じて、フレームメモリ１１９に記憶されている画像データに対して、リサイズや圧縮の演算を行う。リサイズ変換部１１８は、素子内演算部１１９の演算の結果を基に、フレームメモリ１１７に記憶されている画像データを必要な画角にリサイズする。なお、リサイズや圧縮の処理が不要な場合には、切り替えスイッチ１１６は、直接、Ｐ／Ｓ変換部１２０に接続される。
【００１８】
Ｐ／Ｓ変換部１２０は、リサイズ変換部１１８によりリサイズされた画像データをパラレルからシリアルに変換する。そして、Ｐ／Ｓ変換部１２０は、駆動モードに応じて、メインレーン１２１および／またはサブレーン１２２を介して、シリアルの画像データを画像処理部２０８に出力する。
【００１９】
図２は、本実施形態による撮像装置２００の構成例を示すブロック図である。撮像装置２００は、システム制御部２０１と、操作部２０２と、レンズ２０３と、シャッタ２０４と、シャッタ制御部２０５と、図１の撮像素子２０６と、撮像制御部２０７と、画像処理部２０８とを有する。さらに、撮像装置２００は、表示部２０９と、画像メモリ２１０と、記録部２１１と、加速度センサ２１２とを有する。撮像素子２０６は、図１に示すように、撮像層２１３と、回路層２１４とを有する。
【００２０】
システム制御部２０１は、例えば、ＣＰＵ（ＭＰＵ）とメモリ（ＤＲＡＭ、ＳＲＡＭ）を有し、各種処理（プログラム）を実行することにより、撮像装置２００の各ブロックを制御し、各ブロック間でのデータ転送を制御する。また、システム制御部２０１は、ユーザからの操作を受け付ける操作部２０２からの操作信号に応じて、撮像装置２００の各ブロックを制御する。
【００２１】
操作部２０２は、例えば、電源ボタンとシャッタボタンなどの撮影に関連する各種操作を入力するスイッチ類を有する。また、操作部２０２は、モード選択ダイヤル、シャッタスピード設定ダイヤル、メニュー表示ボタン、決定ボタン、カーソルキー、ポインティングデバイス、および、タッチパネル等を有する。そして、操作部２０２は、ユーザによりこれらのキーやボタンが操作されると、システム制御部２０１に操作信号を出力する。
【００２２】
レンズ２０３は、撮像素子２０６に光学像を結像するためのレンズである。レンズ２０３は、撮像素子２０６に結像する光学像のピントを調整するためのフォーカスレンズと、撮像素子２０６に取り込む光の量を調整するための絞りと、撮像素子２０６に結像する光学像の焦点距離を調整するためのズームレンズ等を有する。
【００２３】
シャッタ２０４は、撮像素子２０６に取り込む光を遮断するために動作する。シャッタ制御部２０５は、システム制御部２０１からの指示に応じて、シャッタ２０４を制御する。
【００２４】
撮像素子２０６は、回路層２１４の上に撮像層２１３が積層されており、前述したように、光学像を画像データに変換し、画像データを画像処理部２０８に出力する。撮像素子２０６は、複数の駆動モードを有する。複数の駆動モードのうちの一つは、撮影前にフレーミングを行うために所定のフレームレートで連続的に画像を生成するライブビュー画像用センサ駆動モードである。複数の駆動モードのうちの他の一つは、ユーザからの撮影指示に応じて、所定のシャッタスピードで記録用の静止画を撮像するための静止画用センサ駆動モードである。撮像制御部２０７は、撮像素子２０６に対して、駆動モードの切り替え、電荷の蓄積、および、読み出し等のタイミングを制御する。
【００２５】
画像処理部２０８は、撮像素子２０６が出力する画像データに対して、設定値に基づいてホワイトバランスや色、明るさなどを調整する画質調整処理を行う。そして、画像処理部２０８は、処理後の画像データを表示用として表示部２０９に出力する。また、画像処理部２０８は、処理後の画像データを基に、記録用として圧縮画像データを生成し、圧縮画像データを画像メモリ２１０に出力する。
【００２６】
また、画像処理部２０８は、撮像素子２０６から入力した画像データを用いて、画像全体または所定の測光領域内の輝度を求めることにより明るさを算出し、その算出した明るさを、測光結果としてシステム制御部２０１に出力する。
【００２７】
システム制御部２０１は、測光結果を基に、適正な露出で画像が得られるように、レンズ２０３内の絞りを制御し、撮像制御部２０７による制御を指示する。撮像制御部２０７は、「メインレーンのみでの通常ライブビュー駆動」、「メインレーンのみでの低輝度用ライブビュー駆動」、「メインおよびサブレーンでの低輝度用ライブビュー駆動」等の駆動モードを制御する。これらの駆動モードの詳細については後述する。
【００２８】
また、画像処理部２０８は、撮像素子２０６から入力した画像データに対して所定の画像解析処理を行うことにより、画像内の被写体情報を検出することができる。例えば、画像処理部２０８は、画像内に人物（顔）や物体などが存在するか否かを判別し、画像内のどの位置に被写体が存在するかを判別することができる。さらに、画像処理部２０８は、ライブビュー用フレーム画像の被写体輝度や位置を逐次記憶し、フレームごとの差分を比較することにより、被写体の輝度変化や被写体の移動量を検出することができる。画像処理部２０８は、検出した被写体情報をシステム制御部２０１に出力する。
【００２９】
表示部２０９は、画像処理部２０８から入力した画像データによる映像や、ユーザが操作するための操作画面（メニュー画面）等を表示する。表示部２０９は、例えば、液晶ディスプレイ、有機ＥＬディスプレイ、または電子ペーパー等の表示デバイスを有する。
【００３０】
画像メモリ２１０は、記録用としての圧縮画像データを一時的に記憶する。記録部２１１は、画像メモリ２１０に記憶されている圧縮画像データを記録媒体に記録する。記録媒体は、撮像装置２００に内蔵された記録媒体、または、取り外し可能な記録媒体である。記録部２１１は、圧縮画像データと各種データ等を記録媒体に記録する。記録媒体は、例えば、ハードディスク、光ディスク、光磁気ディスク、ＣＤ−Ｒ、ＤＶＤ−Ｒ、磁気テープ、不揮発性の半導体メモリ、または、フラッシュメモリ等である。
【００３１】
加速度センサ２１２は、撮像装置２００の動きを検出するためのセンサであり、検出した動きを加速度信号としてシステム制御部２０１に出力する。システム制御部２０１は、加速度信号を解析することにより、撮像装置２００の動き方向と動き量を判別し、撮影者が撮像装置２００をどのように保持しているのかを判別する。例えば、システム制御部２０１は、静止している被写体に対して撮像装置２００を固定して撮影しようとしているのか、動きのある被写体に対して追うように撮像装置２００を動かして撮影しようとしているのかを判別することができる。
【００３２】
図３は、本実施形態による撮像装置２００の制御方法を示すフローチャートである。システム制御部２０１は、コンピュータプログラムを実行することにより、図３の処理を制御する。また、システム制御部２０１は、操作部２０２に含まれる電源ボタンまたはモードダイヤルがユーザにより操作されると、撮像装置２００内の各ブロックに撮影モードの開始指示を出力する。
【００３３】
ステップＳ３００では、システム制御部２０１は、撮像制御部２０７を介して、撮像素子２０６に対して、「メインレーンのみでの通常ライブビュー駆動」を開始させるとともに、表示部２０９におけるライブビュー表示を開始させる。撮像素子２０６は、「メインレーンのみでの通常ライブビュー駆動」を行い、画像データを出力する。画像処理部２０８は、撮像素子２０６が出力した画像データに対して画像処理を行い、ライブビュー用画像データを表示部２０９に出力する。表示部２０９は、ライブビュー用画像データに基づく映像を表示する。
【００３４】
図４は、図３のステップＳ３００の「メインレーンのみでの通常ライブビュー駆動」を説明するためのタイミングチャートである。ステップＳ３００では、撮像素子２０６は、図４の「メインレーンのみでの通常ライブビュー駆動」を行う。
【００３５】
垂直同期信号ＸＶＳは、撮像制御部２０７から撮像素子２０６に入力される信号であり、例えば１／３０秒周期の信号である。８本の線Ｌａｎｅ０〜Ｌａｎｅ７は、撮像素子２０６と画像処理部２０８とを接続する線である。図１のメインレーン１２１は、４本の線Ｌａｎｅ０〜Ｌａｎｅ３を有する。図１のサブレーン１２２は、４本の線Ｌａｎｅ４〜Ｌａｎｅ７を有する。
【００３６】
「メインレーンのみでの通常ライブビュー駆動」では、撮像素子２０６は、１／３０秒のフレーム周期で、メインレーン１２１の線Ｌａｎｅ０〜Ｌａｎｅ３のみを用いて、各フレームの画像データＬＶ１〜ＬＶ１６を画像処理部２０８に出力する。画像データＬＶ１〜ＬＶ１６は、露光時間が１／３０秒であり、例えば、信号線１１５ａの偶数行の画素１０１の画像データである。
【００３７】
偶数行の画素１０１は第１の画素群であり、奇数行の画素１０１は第２の画素群である。システム制御部２０１は、撮像素子２０６の中の複数の画素１０１のうちの一部の第１の画素群が１／３０秒の露光時間（露光期間）の光電変換に基づく画像データを出力するように撮像素子２０６を制御する。
【００３８】
画像データＬＶ１〜ＬＶ１６は、ライブビュー表示用画像データと測光用データとして用いられる。「メインレーンのみでの通常ライブビュー駆動」では、表示部２０９は、３０ｆｐｓの表示フレームレートに対応する１／３０秒の表示フレーム周期で、ライブビュー表示用画像データの表示を行う。また、「メインレーンのみでの通常ライブビュー駆動」では、撮像素子２０６は、メインレーン１２１のみを駆動し、サブレーン１２２を駆動しないので、消費電力を抑えることができる。
【００３９】
次に、図３のステップＳ３０１では、画像処理部２０８は、ステップＳ３００の撮像素子２０６の駆動により生成された画像データを用いて、測光演算処理を開始する。画像処理部２０８は、測光演算処理により、撮像素子２０６が出力する画像の全体または所定の測光領域内の輝度を求めることにより被写体の明るさを算出し、その算出した被写体の明るさを、測光値としてシステム制御部２０１に出力する。
【００４０】
次に、ステップＳ３０２では、システム制御部２０１は、画像処理部２０８により算出された測光値を取得する。
【００４１】
次に、ステップＳ３０３では、システム制御部２０１は、ステップＳ３０２で取得した測光値すなわち被写体の明るさが所定値以上（閾値以上）であるか否かを判定する。システム制御部２０１は、測光値が所定値以上である場合には、ステップＳ３０４に進み、測光値が所定値以上でない場合には、ステップＳ３１１に進む。
【００４２】
ステップＳ３０４では、撮像素子２０６は、ステップＳ３００の「メインレーンのみでの通常ライブビュー駆動」を継続する。また、撮像素子２０６は、ステップＳ３１３またはＳ３１４の駆動を行っていた場合には、ステップＳ３００と同じ「メインレーンのみでの通常ライブビュー駆動」を行う。上記と同様に、表示部２０９は、３０ｆｐｓの表示フレームレートに対応する１／３０秒の表示フレーム周期で、ライブビュー表示用画像データの表示を行う。その後、システム制御部２０１は、ステップＳ３０５に進む。
【００４３】
ステップＳ３１１では、システム制御部２０１は、設定されている静止画撮影用シャッタスピード（Ｔｖ）を取得する。静止画撮影用シャッタスピードは、図４〜図６に示す静止画露光の時間に対応する。撮像装置２００は、オートモードとマニュアルモードの２種類の撮影モードを有し、各撮影モードに応じて、シャッタスピードの設定方法が異なる。オートモードでは、システム制御部２０１は、画像処理部２０８が算出した測光値を基に、最適な露出となるように、自動でシャッタスピードを設定する。マニュアルモードでは、システム制御部２０１は、ユーザが操作部２０２に含まれるシャッタスピード設定ダイヤルを操作することにより、シャッタスピードを設定する。ステップＳ３１１では、システム制御部２０１は、オートモードまたはマニュアルモードに応じて設定されたシャッタスピードを取得する。
【００４４】
次に、ステップＳ３１２では、システム制御部２０１は、ステップＳ３１１で取得した静止画撮影用シャッタスピードと、現在の撮像素子２０６の駆動により得られているライブビュー表示フレームレートに対応する表示フレーム周期を比較する。表示フレーム周期は、例えば前述の１／３０秒である。システム制御部２０１は、静止画撮影用シャッタスピードが表示フレーム周期より速い場合には、ステップＳ３１４に進み、静止画撮影用シャッタスピードが表示フレーム周期より速くない場合には、ステップＳ３１３に進む。
【００４５】
ステップＳ３１３では、システム制御部２０１は、撮像制御部２０７を介して、撮像素子２０６に対して、「メインレーンのみでの低輝度用ライブビュー駆動」を開始させる。なお、システム制御部２０１は、撮像素子２０６が既にステップＳ３１３の「メインレーンのみでの低輝度用ライブビュー駆動」を行っている場合には、その駆動を継続させる。撮像素子２０６は、「メインレーンのみでの低輝度用ライブビュー駆動」を行い、画像データを出力する。画像処理部２０８は、撮像素子２０６が出力した画像データに対して画像処理を行い、ライブビュー用画像データを表示部２０９に出力する。表示部２０９は、ライブビュー用画像データに基づく映像を表示する。その後、システム制御部２０１は、ステップＳ３０５に進む。
【００４６】
図５は、図３のステップＳ３１３の「メインレーンのみでの低輝度用ライブビュー駆動」を説明するためのタイミングチャートである。ステップＳ３１３では、撮像素子２０６は、図５の「メインレーンのみでの低輝度用ライブビュー駆動」を行う。
【００４７】
垂直同期信号ＸＶＳは、撮像制御部２０７から撮像素子２０６に入力される信号であり、例えば１／１５秒周期の信号である。図５の垂直同期信号ＸＶＳは、低輝度環境においても被写体を視認しやすくするために、図４の垂直同期信号ＸＶＳより長い。図５の駆動における露光時間は、１／１５秒であり、図４の駆動における露光時間（１／３０秒）より長くなり、図５の駆動は、図４の駆動に比べ、低輝度環境においても被写体を視認しやすくなる。
【００４８】
「メインレーンのみでの低輝度用ライブビュー駆動」では、撮像素子２０６は、１／１５秒のフレーム周期で、メインレーン１２１の線Ｌａｎｅ０〜Ｌａｎｅ３のみを用いて、各フレームの画像データＬＶ１〜ＬＶ８を画像処理部２０８に出力する。画像データＬＶ１〜ＬＶ８は、露光時間が１／１５秒であり、例えば、信号線１１５ａの偶数行の画素１０１の画像データである。
【００４９】
偶数行の画素１０１は第１の画素群であり、奇数行の画素１０１は第２の画素群である。システム制御部２０１は、撮像素子２０６の中の複数の画素１０１のうちの一部の第１の画素群が１／１５秒の露光時間（露光期間）の光電変換に基づく画像データを出力するように撮像素子２０６を制御する。
【００５０】
画像データＬＶ１〜ＬＶ８は、ライブビュー表示用画像データと測光用データとして用いられる。「メインレーンのみでの低輝度用ライブビュー駆動」では、表示部２０９は、１５ｆｐｓの表示フレームレートに対応する１／１５秒の表示フレーム周期で、ライブビュー表示用画像データの表示を行う。また、「メインレーンのみでの低輝度用ライブビュー駆動」では、撮像素子２０６は、メインレーン１２１のみを駆動し、サブレーン１２２を駆動しないので、消費電力を抑えることができる。
【００５１】
図３のステップＳ３１４では、システム制御部２０１は、撮像制御部２０７を介して、撮像素子２０６に対して、「メインおよびサブレーンでの低輝度用ライブビュー駆動」を開始させる。なお、システム制御部２０１は、撮像素子２０６が既にステップＳ３１４の「メインおよびサブレーンでの低輝度用ライブビュー駆動」を行っている場合には、その駆動を継続させる。撮像素子２０６は、「メインおよびサブレーンでの低輝度用ライブビュー駆動」を行い、画像データを出力する。画像処理部２０８は、撮像素子２０６が出力した画像データに対して画像処理を行い、ライブビュー用画像データを表示部２０９に出力する。表示部２０９は、ライブビュー用画像データに基づく映像を表示する。その後、システム制御部２０１は、ステップＳ３０５に進む。
【００５２】
図６は、図３のステップＳ３１４の「メインおよびサブレーンでの低輝度用ライブビュー駆動」を説明するためのタイミングチャートである。ステップＳ３１４では、撮像素子２０６は、図６の「メインおよびサブレーンでの低輝度用ライブビュー駆動」を行う。
【００５３】
垂直同期信号ＸＶＳは、撮像制御部２０７から撮像素子２０６に入力される信号であり、例えば１／３０秒周期の信号である。図６の垂直同期信号ＸＶＳは、低輝度環境においてもライブビュー表示フレームレートを落とさないように、図４の垂直同期信号ＸＶＳと同じ１／３０秒周期の信号である。
【００５４】
撮像素子２０６は、図６の「メインおよびサブレーンでの低輝度用ライブビュー駆動」を行う。この駆動では、撮像素子２０６は、メインレーン１２１の線Ｌａｎｅ０〜Ｌａｎｅ３とサブレーン１２２の線Ｌａｎｅ４〜Ｌａｎｅ７を用いて、各フレームの画像データＬＶ１〜ＬＶ１６を画像処理部２０８に出力する。
【００５５】
撮像素子２０６は、垂直同期信号ＸＶＳの奇数番目のパルスに同期して、１／１５秒のフレーム周期で、メインレーン１２１の線Ｌａｎｅ０〜Ｌａｎｅ３を用いて、奇数フレームの画像データＬＶ１〜ＬＶ４，ＬＶ９〜ＬＶ１２を画像処理部２０８に出力する。奇数フレームの画像データＬＶ１〜ＬＶ４，ＬＶ９〜ＬＶ１２は、例えば、信号線１１５ａの偶数行の画素１０１の画像データであり、露光時間が１／１５秒であり、長いので、低輝度環境においても被写体を視認しやすくなる。
【００５６】
撮像素子２０６は、垂直同期信号ＸＶＳの偶数番目のパルスに同期して、１／１５秒のフレーム周期で、サブレーン１２２の線Ｌａｎｅ４〜Ｌａｎｅ７を用いて、偶数フレームの画像データＬＶ５〜ＬＶ８，ＬＶ１３〜ＬＶ１６を画像処理部２０８に出力する。偶数フレームの画像データＬＶ５〜ＬＶ８，ＬＶ１３〜ＬＶ１６は、例えば、信号線１１５ｂの奇数行の画素１０１の画像データであり、露光時間が１／１５秒であり、長いので、低輝度環境においても被写体を視認しやすくなる。
【００５７】
図６の駆動における露光時間は、１／１５秒であり、図４の駆動における露光時間（１／３０秒）より長くなり、図６の駆動は、図４の駆動に比べ、低輝度環境においても被写体を視認しやすくなる。
【００５８】
メインレーン１２１の奇数フレームの画像データＬＶ１〜ＬＶ４，ＬＶ９〜ＬＶ１２と、サブレーン１２２の偶数フレームの画像データＬＶ５〜ＬＶ８，ＬＶ１３〜ＬＶ１６とは、相互に露光時間が１／３０秒ずれて、交互に出力される。その結果、撮像素子２０６は、３０ｆｐｓの表示フレームレートに対応する１／３０秒の表示フレーム周期で、メインレーン１２１およびサブレーン１２２を用いて、画像データＬＶ１〜ＬＶ１６を画像処理部２０８に出力することができる。
【００５９】
偶数行の画素１０１は第１の画素群であり、奇数行の画素１０１は第２の画素群である。第２の画素群の画素１０１は、第１の画素群の画素１０１とは異なる。システム制御部２０１は、撮像素子２０６の中の複数の画素１０１のうちの第１の画素群と第２の画素群とが異なるタイミングの１／１５秒の露光時間（露光期間）の光電変換に基づく画像データを出力するように撮像素子２０６を制御する。
【００６０】
画像データＬＶ１〜ＬＶ１６は、ライブビュー表示用画像データと測光用データとして用いられる。「メインおよびサブレーンでの低輝度用ライブビュー駆動」では、表示部２０９は、図４の駆動と同様に、３０ｆｐｓの表示フレームレートに対応する１／３０秒の表示フレーム周期で、ライブビュー表示用画像データの表示を行うことができる。ただし、「メインおよびサブレーンでの低輝度用ライブビュー駆動」では、撮像素子２０６は、メインレーン１２１とサブレーン１２２を駆動し、画素１０１の信号読み出し量が増大するため、消費電力が増加する。
【００６１】
図３のステップＳ３０５では、システム制御部２０１は、ユーザが操作部２０２に含まれるシャッタボタンを操作すると、静止画撮影処理を実行するか否かを判定する。システム制御部２０１は、静止画撮影処理を実行する場合には、ステップＳ３０６に進み、静止画撮影処理を実行しない場合には、ステップＳ３０７に進む。
【００６２】
ステップＳ３０６では、システム制御部２０１は、撮影指示信号を出力し、撮像装置２００の各ブロックを制御し、静止画撮影処理を実行する。撮像素子２０６は、設定された静止画撮影用シャッタスピードに対応する露光時間で、すべての画素１０１の画素信号を読み出し、メインレーン１２１およびサブレーン１２２を用いて、すべての画素１０１の静止画像データを画像処理部２０８に出力する。画像処理部２０８は、静止画像データを基に、表示用画像データと圧縮画像データを生成し、表示用画像データを表示部２０９に出力し、圧縮画像データを画像メモリ２１０に記憶させる。表示部２０９は、表示用画像データを表示する。記録部２１１は、画像メモリ２１０に記憶されている圧縮画像データを記録媒体に記録する。
【００６３】
次に、ステップＳ３０７では、システム制御部２０１は、システム制御部２０１は、ユーザが操作部２０２に含まれる電源ボタンまたはモードダイヤルを操作すると、撮影モードを終了するか否かを判定する。システム制御部２０１は、撮影モードを終了する場合には、ステップＳ３０８に進み、撮影モードを終了しない場合には、ステップＳ３０２に戻る。
【００６４】
ステップＳ３０８では、システム制御部２０１は、上記の画像処理部２０８における測光演算処理を停止させる。
【００６５】
次に、ステップＳ３０９では、システム制御部２０１は、上記の表示部２０９におけるライブビュー表示を停止させる。
【００６６】
次に、ステップＳ３１０では、撮像制御部２０７は、撮像素子２０６の駆動を停止させ、システム制御部２０１は、撮影モードを終了する。
【００６７】
以上説明したように、撮像装置２００は、ステップＳ３０６の静止画撮影前に、ステップＳ３０４、Ｓ３１３またはＳ３１４の駆動によるライブビュー表示を行う。撮像装置２００は、高輝度環境においては、ステップＳ３０４の「メインレーンのみでの通常ライブビュー駆動」を行い、ライブビュー表示を行うため、ライブビューの表示フレームレートが十分速く、かつ消費電力を抑えられる。
【００６８】
また、撮像装置２００は、低輝度環境において、静止画撮影用シャッタスピードが現在の表示フレーム周期より遅い場合は、言い換えれば長秒露光の静止画撮影を行う場合である。その場合、撮像装置２００は、撮像装置２００を固定して静止した被写体を撮影するものと判断することができる。したがって、撮像装置２００は、ライブビュー表示フレームレートが遅くなっても問題なく、ステップＳ３１３の「メインレーンのみでの低輝度用ライブビュー駆動」により、消費電力を抑えることを優先することができる。「メインレーンのみでの低輝度用ライブビュー駆動」では、撮像装置２００は、静止画撮影用シャッタスピードに合わせてライブビュー用の露光時間が長くなるため、シャッタスピードの観点で、静止画撮影時の画像と近い画像をライブビュー表示することができる。
【００６９】
また、撮像装置２００は、低輝度環境において、静止画撮影用シャッタスピードが現在のライブビュー表示フレームレートより速い場合は、言い換えれば短秒露光の静止画撮影を行う場合である。その場合、撮像装置２００は、ユーザがライブビュー表示を見ながら、動きのある被写体を撮影する可能性があると判断することができる。したがって、撮像装置２００は、ライブビュー表示フレームレートを遅くしないように、ステップＳ３１４の「メインおよびサブレーンでの低輝度用ライブビュー駆動」をする。これにより、撮像装置２００は、露光時間が長くなり、ライブビュー表示フレームレートが速くなるので、低輝度環境による視認性と被写体の追従性を落とさないライブビュー表示が可能となる。また、「メインおよびサブレーンでの低輝度用ライブビュー駆動」は、消費電力が増加してしまうが、必要最小限の条件時のみに行われる。
【００７０】
また、撮像装置２００は、ステップＳ３０３において測光値が変化した場合、およびステップＳ３１２において静止画撮影用シャッタスピードが変化した場合に、ステップＳ３０４、Ｓ３１３およびＳ３１４のいずれかの駆動に切り替わる。したがって、撮像装置２００は、測光値や静止画撮影用シャッタスピードが変化した場合にのみ、ステップＳ３０３やＳ３１２の判定処理を行うようにしてもよい。その場合、撮像装置２００は、測光値や静止画撮影用シャッタスピードが変化しない間、現在の撮像素子２０６の駆動を継続させる。
【００７１】
即ち、静止画撮影用シャッタスピードが自動で設定されるオートモードでは、静止画撮影用シャッタスピードが変化するのは測光値が変化したときのみであるため、結果的に測光値が変化したときのみ、撮像素子２０６の駆動の変更判定が行われる。また、ユーザにより静止画撮影用シャッタスピードが設定されるマニュアルモードでは、測光値が変化したときに加えて、ユーザがシャッタスピードを変更したときに、撮像素子２０６の駆動の変更判定が行われる。
【００７２】
（第２の実施形態）
図７は、本発明の第２の実施形態による撮像装置２００の制御方法を示すフローチャートである。図７のステップＳ３００〜Ｓ３１１、Ｓ３１３およびＳ３１４は、図３のステップＳ３００〜Ｓ３１１、Ｓ３１３およびＳ３１４と同様の処理である。図７のフローチャートは、図３のフローチャートに対して、ステップＳ３１１およびＳ３１２の代わりに、ステップＳ７００およびＳ７０１を設けたものである。以下、本実施形態が第１の実施形態と異なる点を説明する。
【００７３】
撮像装置２００は、図３と同様に、ステップＳ３００〜Ｓ３０３の処理を行う。ステップＳ３０３では、システム制御部２０１は、測光値が所定値以上である場合には、ステップＳ３０４に進み、測光値が所定値以上でない場合には、ステップＳ７００に進む。
【００７４】
ステップＳ７００では、加速度センサ２１２は、撮像装置２００の動きを検出し、検出した動きを加速度信号として出力する。システム制御部２０１は、加速度センサ２１２から加速度信号を取得し、加速度信号を解析することにより、撮像装置２００の動き方向と動き量を含む撮像装置２００の動き情報を取得する。
【００７５】
また、画像処理部２０８は、撮像素子２０６が出力する画像データを基に、被写体の輝度変化と被写体の移動量を含む被写体情報を検出する。システム制御部２０１は、画像処理部２０８が検出した被写体の輝度変化と被写体の移動量を含む被写体情報を取得する。
【００７６】
次に、ステップＳ７０１では、システム制御部２０１は、ステップＳ７００で取得した撮像装置２００の動き情報または被写体情報を基に、被写体追従の必要があるか否かを判定する。システム制御部２０１は、被写体追従の必要がない場合には、ステップＳ３１３に進み、被写体追従の必要がある場合には、ステップＳ３１４に進む。その後、撮像装置２００は、図３と同様の処理を行う。
【００７７】
例えば、ステップＳ７０１では、システム制御部２０１は、撮像装置２００が特定の方向へ所定量以上動いている場合には、ユーザがライブビュー表示を見ながら動きのある被写体を撮影するものと判断して、被写体追従の必要があると判定する。それに対し、システム制御部２０１は、撮像装置２００が特定の方向へ所定量以上動いていない場合には、被写体追従の必要がないと判定する。
【００７８】
また、システム制御部２０１は、被写体の輝度の変化量が所定量以上である場合には、ユーザが輝度変化をライブビュー表示で確認しながら撮影するものと判断して、被写体追従の必要があると判定する。それに対し、システム制御部２０１は、被写体の輝度の変化量が所定量以上でない場合には、被写体追従の必要がないと判定する。
【００７９】
また、システム制御部２０１は、被写体の移動量が所定量以上である場合には、ユーザが移動する被写体をライブビュー表示で確認しながら撮影するものと判断して、被写体追従の必要があると判定する。それに対し、システム制御部２０１は、被写体の移動量が所定量以上でない場合には、被写体追従の必要がないと判定する。
【００８０】
以上説明したように、ステップＳ７０１において、撮像装置２００は、撮像装置２００の動き情報および被写体情報を基に、被写体追従の必要がないと判定した場合には、ライブビュー表示フレームレートが遅くなっても問題ないので、ステップＳ３１３に進む。ステップＳ３１３では、撮像装置２００は、「メインレーンのみでの低輝度用ライブビュー駆動」を行い、消費電力を抑えることを優先することができる。
【００８１】
また、ステップＳ７０１において、撮像装置２００は、撮像装置２００の動き情報または被写体情報を基に、被写体追従の必要があると判定した場合は、ライブビュー表示フレームレートが遅くならないように、ステップＳ３１４に進む。ステップＳ３１４では、撮像装置２００は、「メインおよびサブレーンでの低輝度用ライブビュー駆動」を行い、低輝度環境による視認性と被写体の追従性を落とさないライブビュー表示が可能となる。また、「メインおよびサブレーンでの低輝度用ライブビュー駆動」は、消費電力が増加してしまうが、必要最小限の条件時のみに行われる。
【００８２】
なお、システム制御部２０１は、ステップＳ７０１の判定結果と、図３のステップＳ３１２の判定結果とを複合的に判定し、ステップＳ３１３とＳ３１４のいずれかに進んでもよい。例えば、システム制御部２０１は、被写体の明るさが所定値以上でなく、かつ、静止画撮影用シャッタスピードが現在の表示フレーム周期より速く、かつ、被写体追従の必要がある場合には、ステップＳ３１４に進む。それに対し、システム制御部２０１は、被写体の明るさが所定値以上でない場合であって、静止画撮影用シャッタスピードが現在の表示フレーム周期より速くない場合、または、被写体追従の必要がない場合には、ステップＳ３１３に進む。
【００８３】
第１および第２の実施形態によれば、撮像装置２００は、撮影条件に応じて、撮像素子２０６の駆動方法を切り替えることにより、低輝度環境においてライブビュー表示フレームレートを高速化するとともに、消費電力の増加を抑制することができる。
【００８４】
撮像装置２００は、デジタルカメラ、ビデオカメラの他、スマートフォン、タブレット、工業用カメラ、医療用カメラ、車載カメラ等に適用可能である。
【００８５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００８６】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００８７】
２００  撮像装置、２０１  システム制御部、２０２  操作部、２０３  レンズ、２０４  シャッタ、２０５  シャッタ制御部、２０６  撮像素子、２０７  撮像制御部、２０８  画像処理部、２０９  表示部、２１０  画像メモリ、２１１  記録部、２１２  加速度センサ
【図１】
2020120219.tif 000003
【図２】
2020120219.tif 000004
【図３】
2020120219.tif 000005
【図４】
2020120219.tif 000006
【図５】
2020120219.tif 000007
【図６】
2020120219.tif 000008
【図７】
2020120219.tif 000009